(57)【特許請求の範囲】
【請求項１】
組み立て可能に構成された組立式椅子であって、
平板状に構成された座部と、
平板状に構成されると共に該座部を係合可能な溝を有する一対の脚部と、
前記座部よりも下方において前記一対の脚部を連結するよう構成された連結梁部と、
前記一対の脚部を前記連結梁部に締結するための締結部材と、
前記座部が前記溝の延在方向へ移動することを規制する規制部材と、
を備え、
前記連結梁部は、前記一対の脚部の接地側の端部となる下端部から該下端部とは反対側の端部となる前記一対の脚部の上端部に向かうに伴って前記一対の脚部間の距離が漸次狭くなる態様で前記一対の脚部を連結するよう構成されており、
前記座部は、前記連結梁部に対向する位置に凹部を有しており、
前記規制部材は、前記連結梁部に出没可能に設置されたピン部材と、該ピン部材が前記連結梁部に対して突出した状態を維持するよう該ピン部材を付勢する弾性部材と、を有しており、
前記ピン部材が前記凹部に係合されることによって、前記座部が前記溝の延在方向へ移動することを規制されている
組立式椅子。
【請求項２】
前記一対の脚部の前記上端部には、凹状の切欠きが構成されており、
前記連結梁部は、前記座部に対向する面とは反対側の面が前記切欠きに対応した形状を有するよう構成されている
請求項１に記載の組立式椅子。
【請求項３】
組み立て可能に構成された組立式椅子であって、
平板状に構成された座部と、
平板状に構成されると共に該座部を支持するよう構成された一対の脚部と、
前記座部よりも下方において前記一対の脚部を連結するよう構成された連結梁部と、
前記一対の脚部を前記連結梁部に締結するための締結部材と、
を備え、
前記一対の脚部それぞれは、前記座部を係合可能な溝を有していると共に、前記一対の脚部の接地側の端部となる下端部とは反対側の端部となる上端部に凹状の切欠きが構成されており、
前記連結梁部は、前記下端部から前記上端部に向かうに伴って前記一対の脚部間の距離が漸次狭くなる態様で前記一対の脚部を連結するよう構成されていると共に、前記座部に対向する面とは反対側の面が前記切欠きに対応した形状を有するよう構成されている
組立式椅子。
【請求項４】
前記座部が前記溝の延在方向へ移動することを規制する規制部材をさらに備えている
請求項３に記載の組立式椅子。
【請求項５】
前記座部は、前記連結梁部に対向する位置に凹部を有しており、
前記規制部材は、前記連結梁部に出没可能に設置されたピン部材と、該ピン部材が前記連結梁部に対して突出した状態を維持するよう該ピン部材を付勢する弾性部材と、を有しており、
前記ピン部材が前記凹部に係合されることによって、前記座部が前記溝の延在方向へ移動することを規制されている
請求項４に記載の組立式椅子。
【発明の詳細な説明】
【技術分野】
【０００１】
本発明は、組み立て可能に構成された組立式椅子に関する。
【背景技術】
【０００２】
実開平５−２４０９２号公報（特許文献１）には、平板状に構成された座部と、平板状に構成されると共に当該座部を支持するように構成された一対の脚部と、を備える組立式椅子が記載されている。当該組立式椅子では、座部の一組の側面それぞれに二本のボルトを突出状に一体形成すると共に、一対の各脚部に当該ボルトを挿通可能な挿通孔を形成し、当該ボルトが当該挿通孔に挿通されるよう座部を脚部に組み付け、挿通孔から突出したボルトにナットを螺着するのみで椅子を組み付けることができる。
【先行技術文献】
【特許文献】
【０００３】
【特許文献１】実開平５−２４０９２号公報
【発明の概要】
【発明が解決しようとする課題】
【０００４】
しかしながら、上述した公報に記載の組立式椅子では、二本のボルトを座部の各側面に立設する必要があり、製造性という観点において、なお改良の余地がある。また、少なくとも四本のボルトにナットを螺着する必要があり、組立て性という観点においても、なお改良の余地がある。
【０００５】
本発明は、上記に鑑みてなされたものであり、組立式椅子において、製造性および組立て性の向上を図ることができる技術を提供することを目的とする。
【課題を解決するための手段】
【０００６】
本発明の組立式椅子は、上述の目的を達成するために以下の手段を採った。
【０００７】
本発明に係る組立式椅子の好ましい形態によれば、組み立て可能な組立式椅子が構成される。当該組立式椅子は、平板状に構成された座部と、平板状に構成されると共に当該座部を係合可能な溝を有する一対の脚部と、座部よりも下方において一対の脚部を連結するように構成された連結梁部と、一対の脚部を連結梁部に締結するための締結部材と、座部が溝の延在方向へ移動することを規制する規制部材と、を備えている。連結梁部は、一対の脚部の接地側の端部となる下端部から当該下端部とは反対側の端部となる一対の脚部の上端部に向かうに伴って一対の脚部間の距離が漸次狭くなる態様で該一対の脚部を連結するように構成されている。また、座部は、連結梁部に対向する位置に凹部を有している。規制部材は、連結梁部に出没可能に設置されたピン部材と、当該ピン部材が連結梁部に対して突出した状態を維持するように当該ピン部材を付勢する弾性部材と、を有している。そして、ピン部材が当記凹部に係合されることによって、座部が溝の延在方向へ移動することを規制されている。
【０００８】
本発明によれば、座部は一対の脚部の各溝に係合されて支持されると共に、当該座部が一対の脚部に挟持された状態で締結部材によって当該一対の脚部を連結梁部に締結する構成であるため、従来のように座部の各側面に二本のボルトを立設する必要がなく、また、計四本のボルトにナットを螺着する必要もなくなり、製造性および組立て性の向上を図ることができる。
【０００９】
しかも、一対の脚部が連結梁部に略八の字状に締結される構成であるため、一対の脚部の各溝の上面および下面が座部の上面および下面に押し付けられ、座部が当該溝の延在方向に移動する際に大きなフリクションを生じる。これにより、座部が溝の延在方向に移動することを良好に抑制することができ、座部の抜けを抑制することができる。さらに、規制部材によって、座部が溝の延在方向へ移動することを規制されるため、座部の抜けを確実に防止することができる。なお、規制部材が、座部の凹部に係合されるピン部材と、当該ピン部材が連結梁部から突出した状態を維持するように当該ピン部材を付勢する弾性部材と、から構成されるため、簡易な構成で規制部材を実現できる。
【００１０】
なお、一対の脚部が連結梁部に略八の字状に締結される構成であるため、組立式椅子を積み上げる際に、各組立式椅子の一部が重なった状態で積み上げることができる。これにより、収納時に要するスペースの低減を図ることができる。
【００１１】
本発明に係る組立式椅子の更なる形態によれば、一対の脚部の上端部には、凹状の切欠きが構成されている。そして、連結梁部は、座部に対向する面とは反対側の面が切欠きに対応した形状を有するように構成されている。
【００１２】
本形態によれば、組立式椅子を積み上げる際に、連結梁部と一対の脚部の切欠きとを整合させることにより、各組立式椅子を適正な位置関係で積み重ねることができる。これにより、積み重ね時の安定性を向上することができる。
【００１３】
本発明に係る組立式椅子の更なる形態によれば、組み立て可能に構成された組立式椅子が構成される。当該組立式椅子では、平板状に構成された座部と、平板状に構成されると共に当該座部を支持するように構成された一対の脚部と、座部よりも下方において一対の脚部を連結するように構成された連結梁部と、一対の脚部を連結梁部に締結するための締結部材と、を備えている。一対の脚部それぞれは、座部を係合可能な溝を有していると共に、一対の脚部の接地側の端部となる下端部とは反対側の端部となる上端部に凹状の切欠きが構成されている。そして、連結梁部は、下端部から上端部に向かうに伴って一対の脚部間の距離が漸次狭くなる態様で一対の脚部を連結するように構成されていると共に、座部に対向する面とは反対側の面が切欠きに対応した形状を有するように構成されている。
【００１４】
本形態によれば、座部は一対の脚部の各溝に係合されて支持されると共に、当該座部が一対の脚部に挟持された状態で締結部材によって当該一対の脚部を連結梁部に締結する構成であるため、従来のように座部の各側面に二本のボルトを立設する必要がなく、また、計四本のボルトにナットを螺着する必要もなくなり、製造性および組立て性の向上を図ることができる。しかも、一対の脚部が連結梁部に略八の字状に締結される構成であるため、一対の脚部の各溝の上面および下面が座部の上面および下面に押し付けられ、座部が当該溝の延在方向に移動する際に大きなフリクションを生じる。これにより、座部が溝の延在方向に移動することを良好に抑制することができ、座部の抜けを抑制することができる。なお、一対の脚部が連結梁部に略八の字状に締結される構成であるため、組立式椅子を積み上げる際に、各組立式椅子の一部が重なった状態で積み上げることができる。これにより、収納時に要するスペースの低減を図ることができる。また、組立式椅子を積み上げる際に、連結梁部と一対の脚部の切欠きとを整合させることにより、各組立式椅子を適正な位置関係で積み重ねることができる。これにより、積み重ね時の安定性を向上することができる。
【００１５】
本発明に係る組立式椅子の更なる形態によれば、前記座部が前記溝の延在方向へ移動することを規制する規制部材をさらに備えている。
【００１６】
本形態によれば、座部が溝の延在方向に移動することを確実に防止することができる。これにより、座部の抜けを確実に防止することができる。
【００１７】
本発明に係る組立式椅子の更なる形態によれば、座部は、連結梁部に対向する位置に凹部を有している。また、規制部材は、連結梁部に出没可能に設置されたピン部材と、当該ピン部材が連結梁部に対して突出した状態を維持するように当該ピン部材を付勢する弾性部材と、を有している。そして、ピン部材が凹部に係合されることによって、座部が溝の延在方向へ移動することを規制されている。
【００１８】
本形態によれば、簡易な構成で規制部材を実現できる。
【発明の効果】
【００１９】
本発明によれば、組立式椅子において、製造性および組立て性の向上を図ることができる。
【図面の簡単な説明】
【００２０】
【図１】本発明の実施の形態に係る組立式椅子１の構成の概略を示す斜視構成図である。
【図２】本発明の実施の形態に係る組立式椅子１を正面から見た正面図である。
【図３】本体部１０を正面から見た正面図である。
【図４】本体部１０を側面から見た側面図である。
【図５】脚部２０を正面から見た正面図である。
【図６】脚部２０を裏面から見た裏面図である。
【図７】図６を矢印Ａ方向から見た部分拡大図である。
【図８】連結梁部３０を正面から見た正面図である。
【図９】連結梁部３０を側面から見た側面図である。
【図１０】規制部材４０の構成を示す構成図である。
【図１１】一対の脚部２０が連結梁部３０に締結される様子を示す説明図である。
【図１２】一対の脚部２０が連結梁部３０に締結された際の座部１２および直線溝２６の状態を示す説明図である。
【図１３】本発明の実施の形態に係る組立式椅子１を複数積み重ねた様子を示す説明図である。
【発明を実施するための形態】
【００２１】
次に、本発明を実施するための最良の形態を実施例を用いて説明する。
【実施例】
【００２２】
本発明の実施の形態に係る組立式椅子１は、図１および図２に示すように、本体部１０と、当該本体部１０を支持するように構成された一対の脚部２０，２０と、当該一対の脚部２０，２０を連結するように構成された連結梁部３０と、一対の脚部２０，２０を連結梁部３０に締結するためのボルト部材５０と、一対の脚部２０，２０から本体部１０が抜け出ることを規制する規制部材４０と、を備えている。
【００２３】
本体部１０は、合板により成形されており、図１ないし図４に示すように、座部１２と、当該座部１２に対して一体にほぼ垂直に折り曲げ成形された背凭れ部１４と、から構成されている。座部１２の裏面のほぼ中央部には、図３および図４に示すように、凹部１２ａが形成されている。
【００２４】
一対の脚部２０，２０は、合板により成形されており、互いに同じ形状を有している。具体的には、一対の脚部２０,２０は、図５に示すように、地面に接地される一対の接地
部２２，２２と、使用者が肘を置くことができる肘掛部２４と、を有しており、正面視略Ａ字状の平板として構成されている。
【００２５】
肘掛部２４には、図５に示すように、横長（図５の左右方向に長い）の開口２４ａと、ボルト部材５０を挿通可能な貫通孔２４ｂと、が形成されている。また、肘掛部２４のうち使用者が腰掛ける側（座部が配置される側）となる内側面には、図６に示すように、直線溝２６と、有底凹部２４ｄと、が形成されている。なお、肘掛部２４の上端面には、凹み状の切欠き２４ｃが形成されている。
【００２６】
直線溝２６は、図６に示すように、開口２４ａと貫通孔２４ｂとの間に配置されており、一方の接地部２２側から他方の接地部２２に亘って肘掛部２４を横断するように延在している。直線溝２６は、図７に示すように、その延在方向に垂直な断面形状がコ字状に形成されている。直線溝２６の幅ｈは、座部１２の厚みｔとほぼ同じか若干大きめとなるよう形成されている。
【００２７】
連結梁部３０は、合板により成形された梁部材として構成されており、図８に示すように、正面視略台形状に形成されている。即ち、連結梁部３０は、長手方向の端部を構成する両端面３０ａ,３０ａが略ハ字状となるように構成されている。当該連結梁部３０の両
端面３０ａ，３０ａと鉛直方向に延在する仮想直線ＶＬとのなす角度θは、例えば、７°に設定される。
【００２８】
また、連結梁部３０の長手方向の両端面３０ａ，３０ａのそれぞれには、図８および図９に示すように、有底孔３２，３４が形成されている。有底孔３２，３４は、両端面３０ａ，３０ａに対して垂直方向に穿設されている。有底孔３２が連結梁部３０の上端面３０ｃ寄りに形成され、有底孔３４が連結梁部３０の下端面３０ｂ寄りに形成されている。
【００２９】
さらに、連結梁部３０の主面３０ｄには、図８および図９に示すように、有底孔３６が形成されている。当該有底孔３６は、有底孔３２を貫通するように形成されている。当該有底孔３６には、図２および図１１に示すように、円筒形状に構成されたナット部材８０が設置される。
【００３０】
また、連結梁部３０の長手方向（図８の左右方向）の略中央部には、図８に示すように、上端面３０ｃから下端面３０ｂまで貫通する貫通孔３８が形成されている。当該貫通孔３８は、上端面３０ｃ寄りに形成された大径孔３８ａと、下端面３０ｂ寄りに形成された小径孔３８ｂと、を有する段付き孔に形成されている。
【００３１】
連結梁部３０の下端面３０ｂは、図９に示すように、連結梁部３０の長手方向に垂直な断面形状が略円弧形状を有するように形成されている。なお、下端面３０ｂは、図８に示すように、連結梁部３０の長手方向（図８の左右方向）の略中央部において略アーチ状の凹み３１を有するように形成されている。
【００３２】
規制部材４０は、図１０に示すように、ストッパーピン４２と、コイルスプリング４４と、取手４６と、から構成されている。ストッパーピン４２は、ピン部４２ａと、軸部４２ｂと、雄ネジ部４２ｃと、を備えている。
【００３３】
ピン部４２ａの外径は、座部１２の凹部１２ａおよび連結梁部３０の大径孔３８ａの内径よりも若干大きくなるように設定されている。軸部４２ｂの外径は、連結梁部３０の小径孔３８ｂの内径よりも若干小さくなるように設定されている。即ち、軸部４２ｂの外径は、ピン部４２ａの外形よりも小さくなっている。
【００３４】
コイルスプリング４４の内径は、ストッパーピン４２の軸部４２ｂの外径よりも大きく形成されている。また、コイルスプリング４４の外径は、連結梁部３０の大径孔３８ａの内径よりも小さく、かつ、連結梁部３０の小径孔３８ｂよりも大きくなるように設定されている。
【００３５】
取手４６は、内部に雌ネジ部を有している。当該雌ネジ部は、ストッパーピン４２の雄ネジ部４２ｃにネジ係合可能なように構成されている。
【００３６】
次に、こうして構成された組立式椅子の組み立て方法について説明する。まず、連結梁部３０に規制部材４０を組み付けると共に、図１１に示すように、連結梁部３０の両端面３０ａ，３０ａの有底孔３４，３４にダボ７０，７０を嵌合させる。
【００３７】
規制部材４０の連結梁部３０への組み付けは、まず、コイルスプリング４４を連結梁部３０の大径孔３８ａ内にセットし、次に、コイルスプリング４４の内側を通るようにストッパーピン４２を雄ネジ部４２ｃ側から連結梁部３０の貫通孔３８に大径孔３８ａ、小径孔３８ｂの順に挿通して、最後に、連結梁部３０の小径孔３８ｂから突出した雄ネジ部４２ｃに取手４６をネジ係合することにより行う。
【００３８】
ここで、規制部材４０が連結梁部３０に組み付けられた状態では、コイルスプリング４４が連結梁部３０の貫通孔３８の段差部とストッパーピン４２のピン部４２ａとの間で圧縮される構成であるため、当該ピン部４２ａが連結梁部３０の上端面３０ｃから突出した状態を維持するようにコイルスプリング４４のバネ力がストッパーピン４２に作用している。
【００３９】
次に、図１１に示すように、一対の脚部２０，２０の有底凹部２４ｄ，２４ｄにダボ７０，７０が嵌合するように一対の脚部２０，２０を連結梁部３０の両端面３０ａ，３０ａに組み付ける。そして、図２および図１１に示すように、連結脚部３０の有底孔３６にナット部材８０をセットすると共に、ボルト部材５０を一対の脚部２０，２０の貫通孔２４ｂ，２４ｂから連結梁部３０の両端面３０ａ，３０ａに形成された有底孔３２，３２にボルト部材５０を挿通してナット部材８０に仮締めする。
【００４０】
当該状態で、図１２に示すように、座部１２を一対の脚部２０，２０の直線溝２６，２６に係合させて、当該直線溝２６，２６の延在方向にスライドさせることによって一対の脚部２０，２０間に座部１２を設置する。ここで、座部１２の直線溝２６，２６内でのスライドは、図１０に示すように、規制部材４０のピン部４２ａが座部１２の凹部１２ａに係合するまで行う。ピン部４２ａが凹部１２ａに係合することにより、座部１２を含む本体部１０が一対の脚部２０，２０から抜け出ることを確実に防止され得る。
【００４１】
続いて、ボルト部材５０の本締めを行う。ボルト部材５０の本締めを行うことにより、一対の脚部２０，２０が連結梁部３０の両端面３０ａ，３０ａに当接し、図２に示すように、一対の脚部２０，２０が略ハ字状になる。このとき、直線溝２６の上面２６ａおよび下面２６ｂが座部１２の上面１２ｂおよび下面１２ｃに押し付けられる。これにより、座部１２が直線溝２６の延在方向に移動しようとした際に大きなフリクションを生じることになるため、座部１２が直線溝２６内をスライドすることを良好に抑制することができる。
【００４２】
また、一対の脚部２０，２０が略ハ字状となっているため、図１３に示すように、組立式椅子１を上側に複数積み重ねる際に、各組立式椅子１同士の一部が重なった状態で積み上げることができ、収納スペースの低減を図ることができる。なお、組立式椅子１に他の組立式椅子１を積み上げた際に、図１３に示すように、積み上げた方の組立式椅子１の連結梁部３０の下端面３０ｂが下側の組立式椅子１における肘掛部２４の切欠き２４ｃに係合されるため、積み重ね時の安定性を向上することができる。
【００４３】
また、一対の脚部２０に形成された開口２４ａを把持することによって、組立式椅子１の運搬や組立式椅子１同士の積み重ねを容易に行うことができる。
【００４４】
本実施の形態では、コイルスプリング４４のバネ力によってストッパーピン４２を付勢するように構成した規制部材４０によって座部１２を含む本体部１０の一対の脚部２０，２０からの抜けを防止する構成としたが、座部１２を含む本体部１０の一対の脚部２０，２０からの抜けを防止する構成であれば、如何なる構成であっても良い。
【００４５】
本実施の形態では、規制部材４０を用いて座部１２を含む本体部１０の一対の脚部２０，２０からの抜けを防止する構成としたが、規制部材４０は無くても良い。
【００４６】
本実施の形態では、コイルスプリング４４によってストッパーピン４２を付勢する構成としたが、これに限らない。例えば、ゴムや板バネなど他の弾性部材を用いてストッパーピン４２を付勢する構成としても良い。
【００４７】
本実施の形態では、一対の脚部２０，２０の傾斜角θを７°に設定する構成としたが、これに限らない。
【００４８】
本実施の形態では、連結梁部３０の長手方向に垂直な断面において、連結梁部３０の下端面３０ｂが略円弧形状を有する構成としたが、連結梁部３０の下端面３０ｂと肘掛部２４の上端面に形成した切欠き２４ｃとが係合可能な形状であれば、連結梁部３０の長手方向に垂直な断面における連結梁部３０の下端面３０ｂの形状は如何なる形状であっても良い。
【００４９】
本実施の形態では、本体部１０は、座部１２と背凭れ部１４とを有する構成としたが、背凭れ部１４は無くても良い。
【００５０】
本実施形態は、本発明を実施するための形態の一例を示すものである。したがって、本発明は、本実施形態の構成に限定されるものではない。
【符号の説明】
【００５１】
１          組立式椅子（組立式椅子）
１０        本体部
１２        座部（座部）
１２ａ      凹部（凹部）
１２ｂ      上面
１２ｃ      下面
１４        背凭れ部
２０        一対の脚部（一対の脚部）
２２        接地部（下端部）
２４        肘掛部
２４ａ      開口
２４ｂ      貫通孔
２４ｃ      切欠き（切欠き）
２４ｄ      有底凹部
２６        直線溝（溝）
２６ａ      上面
２６ｂ      下面
３０        連結梁部
３０ａ      両端面
３０ｂ      下端面
３０ｃ      上端面
３０ｄ      主面
３２        有底孔
３４        有底孔
３６        有底孔
３８        貫通孔
３８ａ      大径孔
３８ｂ      小径孔
４０        規制部材（規制部材）
４２        ストッパーピン
４２ａ      ピン部
４２ｂ      軸部
４２ｃ      雄ネジ部
４４        コイルスプリング（弾性部材）
４６        取手
５０        ボルト部材
７０        ダボ
８０        ナット部材
ＶＬ        仮想直線
【図１】
0006578558.tif 000002
【図２】
0006578558.tif 000003
【図３】
0006578558.tif 000004
【図４】
0006578558.tif 000005
【図５】
0006578558.tif 000006
【図６】
0006578558.tif 000007
【図７】
0006578558.tif 000008
【図８】
0006578558.tif 000009
【図９】
0006578558.tif 000010
【図１０】
0006578558.tif 000011
【図１１】
0006578558.tif 000012
【図１２】
0006578558.tif 000013
【図１３】
0006578558.tif 000014